(57)【要約】【課題】  スライド部材を前方から簡単にレール部材に取付けたり取外したりすることができるキッチン用フロアキャビネットを提供する。【解決手段】  キッチン用フロアキャビネット１は、キャビネット本体２の上部前面に設けられる左右方向に延在するレール部材３と、このレール部材３にスライド可能に係合するスライド部材４とを備えている。レール部材３には、側面視で略Ｌ字状の係合溝３１を形成するとともに、スライド部材４には、側面視で略Ｌ字状の係合部４１を形成し、レール部材３の略Ｌ字状の係合溝４１にスライド部材４の略Ｌ字状の係合部４１を、前方から回し操作しながら係合させるようにした。【選択図】      図２
2006198303.tif 000002
【特許請求の範囲】
【請求項１】
キャビネット本体の上部前面に、左右方向に延在するレール部材を設けて、このレール部材にスライド部材をスライド可能に係合させたキッチン用フロアキャビネットであって、
前記レール部材には、側面視で略Ｌ字状の係合溝を形成するとともに、前記スライド部材には、側面視で略Ｌ字状の係合部を形成し、前記レール部材の略Ｌ字状の係合溝に前記スライド部材の略Ｌ字状の係合部を、前方から回し操作しながら係合させるようにしたことを特徴とするキッチン用フロアキャビネット。
【請求項２】
前記スライド部材には、前後方向に回動可能な台板を取付けて、この台板は、前方回動させたときは、前記キャビネット本体の上面で略水平状態に当て止められるとともに、後方回動させたときは、前記スライド部材で略水平状態に当て止められることを特徴とする請求項１に記載のキッチン用フロアキャビネット。
【発明の詳細な説明】
【技術分野】
【０００１】
本発明は、キッチン用フロアキャビネットに関するものである。
【背景技術】
【０００２】
従来、キッチン用フロアキャビネットでは、調理に使用する部分の面積を広く確保するために、シンクの周縁部に段差部を設け、この段差部に可動式のプレートを載置することが知られている（例えば、特許文献１参照）。
【０００３】
近年では、大型鍋等を調理器からシンクへ簡単に移動させることができ、しかも調理に使用する部分の面積を広く確保することができるキッチン用フロアキャビネットが求められている。
【０００４】
そこで、調理器やシンク等を有するキャビネット本体の上部前面にレール部材を設けて、このレール部材に台板を有するスライド部材をスライド可能に係合させることによって、大型鍋等を台板に載せて調理器からシンクへ移動できるようにするとともに、台板を調理台としても使用できるようにしたキッチン用フロアキャビネットが提案されつつある。
【０００５】
このようなレール部材とスライド部材との係合構造は、一般的にレール部材の端部からスライド部材の係合部を差し込むようになっているため、スライド部材が不要な場合にスライド部材をレール部材から取外そうとしても、前方から取外すことはできず、またキャビネット本体の側面がキッチンの壁に面して設置される場合にはキャビネット本体設置後にスライド部材を取外すことはできない。
【特許文献１】特開平６−７３７６７号公報
【発明の開示】
【発明が解決しようとする課題】
【０００６】
そこで、スライド部材をレール部材の前方から簡単に取外すことができるキッチン用フロアキャビネットが望まれている。
【０００７】
本発明は、このような要望に鑑み、スライド部材を前方から簡単にレール部材に取付けたり取外したりすることができるキッチン用フロアキャビネットを提供することを目的とする。
【課題を解決するための手段】
【０００８】
上述の目的を達成するために、本発明に係るキッチン用フロアキャビネットは、キャビネット本体の上部前面に、左右方向に延在するレール部材を設けて、このレール部材にスライド部材をスライド可能に係合させたキッチン用フロアキャビネットであって、前記レール部材には、側面視で略Ｌ字状の係合溝を形成するとともに、前記スライド部材には、側面視で略Ｌ字状の係合部を形成し、前記レール部材の略Ｌ字状の係合溝に前記スライド部材の略Ｌ字状の係合部を、前方から回し操作しながら係合させるようにしたことを特徴とするものである。
【０００９】
また、前記スライド部材には、前後方向に回動可能な台板を取付けて、この台板は、前方回動させたときは、前記キャビネット本体の上面で略水平状態に当て止められるとともに、後方回動させたときは、前記スライド部材で略水平状態に当て止められることが好ましい。
【発明の効果】
【００１０】
本発明によれば、スライド部材にフックやまな板等を付けて、所望の位置にスライドさせることができるとともに、スライド部材の係合部を回し操作するだけで、前方からスライド部材を簡単にレール部材に着脱することができる。
【発明を実施するための最良の形態】
【００１１】
以下、本発明を実施するための最良の形態について、図面を参照しながら詳細に説明する。
【００１２】
図１及び図２に示すように、本発明の一実施形態に係るキッチン用フロアキャビネット１は、キャビネット本体２と、このキャビネット本体２の上部前面に設けられ、左右方向に延在するレール部材３と、このレール部材３にスライド可能に係合するスライド部材４と、このスライド部材４に取付けられる台板５とを備えている。
【００１３】
前記キャビネット本体２は、略直方体の形状をなしており、人造大理石等で構成されるカウンター２１と、カウンター２１を支持する箱体２４と、箱体２４に前後方向にスライド可能に収容される複数の引出し２５とを有している。
【００１４】
前記カウンター２１には、調理器（図示せず）やシンク２２が組み込まれているとともに、カラン２３が取付けられている。このカウンター２１の手前側端部は、箱体２４の前面よりも手前側（図２では左側）に突出しており、収容状態での引出し２５の前壁を上方から覆うことが可能となっている。また、カウンター２１の下面と箱体２４の手前側上端部との間には、所定寸法の隙間ｔが設けられており、この隙間ｔに前記レール部材３の張出部３２が嵌め込まれている。
【００１５】
前記レール部材３は、側面視で下方及び奥側（図２では右側）に延びる略Ｌ字状をなしており、奥側に延びる部分が前記張出部３２となっている。また、レール部材３は、前面が引出し２５の前面と略面一となるように構成されており、この前面の上部がカウンター２１の手前側端部に設けられた下方に突出する突出部２１ａに当接して、レール部材３の脱落防止が図られている。
【００１６】
このレール部材３の下面は、側面視で略Ｌ字状の固定金具２６で支えられている。固定金具２６は、上下方向に延びる部分がビスＳ１によって箱体２４の前面に固定され、水平に延びる部分がレール部材３にビスＳ２によって固定されている。
【００１７】
さらに、レール部材３の下方には、グリル等からの熱がレール部材３に伝わるのを抑制するために、レール部材３の下面及び固定金具２６の下面に接するように断熱材２７が配設されている。
【００１８】
また、前記レール部材３には、手前側に開口する係合溝３１が形成されている。この係合溝３１は、前後方向に延びる基部溝３１ａと、基部溝３１ａの奥側で斜め上方に立ち上がる立上り溝３１ｂとからなり、側面視で略Ｌ字状をなしている。
【００１９】
前記スライド部材４は、側面視で上方及び奥側に延びる略Ｌ字状の本体部４２と、レール部材３の係合溝３１に嵌り込んで係合する係合部４１とを有している。
【００２０】
前記本体部４２は、前後方向に延びる水平部４２ａと、この水平部４２ａの手前側端部から上方に延びる垂直部４２ｂとからなっている。そして、水平部４２ａの奥側端部に前記係合部４１が連設されている。
【００２１】
前記係合部４１は、前後方向に延びて、レール部材３の係合溝３１の基部溝３１ａの下面に載置可能な基部４１ａと、基部４１ａの奥側で斜め上方に立ち上がって、レール部材３の係合溝３１の立上り溝３１ｂに係合可能な立上り部４１ｂとからなり、側面視で略Ｌ字状をなしている。
【００２２】
そして、前記係合部４１は、下から上に回し操作しながら係合溝３に挿入することにより、立上り部４１ｂが基部溝３１ａを通過して立上り溝３１ｂに係合するようになっている。
【００２３】
前記基部４１ａの厚みは、前記本体部４２の水平部４２ａの厚みよりも薄く設定されており、基部４１ａの上面は水平部４２ａの上面と略面一になっている。そして、基部４１ａの下方に位置する水平部４２ａの奥側端部の端面は、係合部４１が係合溝３１に係合した状態で、レール部材３の前面のうち係合溝３１の下方に位置する部分に当接するレール部材当接面４２ｃとなっている。
【００２４】
また、前記本体部４２の垂直部４２ｂの上端部には、左右方向に延びる回転軸６が設けられており、この回転軸６を介して台板５の手前側端部が前後方向に回動可能に取付けられている。
【００２５】
前記台板５は、スライド部材４の本体部４２の垂直部４２ｂの上方からカウンター２１の上方まで張り出す大きさを有している。この台板５の上面には、まな板５２が取付けられており、調理台として使用できるようになっている。また、台板５の下面には、カウンター２１の上面に当接して当該台板５を略水平状態に保つ突起５１が設けられている。
【００２６】
このような台板５が取付けられたスライド部材４をレール部材３から取外すには、図３（ａ）に示すように、まず台板５を矢印ａのように後方に回動させる。次に、図３（ｂ）に示すように、スライド部材４の本体部４２の手前側端部を矢印ｂのように持ち上げて、当該スライド部材４をやや前倒して係合部４１を上から下に回し操作する。そして、この状態で、図３（ｃ）に示すように、スライド部材４の係合部４１を矢印ｃのように手前側に引き抜けば、前方からの操作でスライド部材４をレール部材３から取外すことができる。
【００２７】
逆に、スライド部材４をレール部材３に取付けるには、前記操作とは逆にすればよい。すなわち、台板５を後方に回動させるとともにスライド部材４をやや前倒させて係合部４をレール部材３の係合溝３１に嵌め込み、この状態でスライド部材４を後倒して係合部４１を下から上に回し操作すれば、立上り部４１ｂが立上り溝３１ｂに係合するとともに基部４１ａが基部溝３１ａの下面に載置され、かつ、レール部材当接面４１ｃがレール部材３の前面に当接して、スライド部材４の自重によって係合部４１の係合溝３１への係合状態が維持される。最後に、台板５を前方に回動させれば、台板５の突起５１がカウンター２１の上面に当接することにより台板５が略水平状態に当て止められる。
【００２８】
以上説明したように、本実施形態のキッチン用フロアキャビネット１では、スライド部材４を前倒または後倒操作するだけで、スライド部材４を前方から簡単にレール部材３に取付けたりレール部材３から取外したりすることができる。
【００２９】
また、スライド部材４に台板５を固定した場合には、スライド部材３を前倒しようとしても台板５がカウンター２１に干渉してスライド部材４を前倒させることはできないが、スライド部材４に台板５を回動可能に取付けたから、スライド部材４を前倒させることが可能となり、台板５を設けた場合でもスライド部材４を前方から容易にレール部材３に着脱することができる。
【００３０】
なお、前述した実施形態では、台板５にカウンター２１に当接する突起５１を設けた形態を示したが、図４（ａ）に示すように、台板５の下面に板材５３を取付け、この板材５３の手前側端面５３ａをスライド部材４の本体部４２の垂直部４２ｂに当接させ、これにより台板５を略水平状態に当て止めるようにしてもよい。
【００３１】
また、この場合には、まな板５１の手前側端面５２ａを台板５を後方回動させたとき（図４（ｂ）（ｃ）参照）に本体部４２の垂直部４２ｂに当接させて、台板５を略水平状態に当て止めるようにしてもよい。このようにすれば、台板５をサブカウンターとして利用することができるようになる。
【００３２】
さらに、スライド部材４の本体部４２を前後方向に延びる板状とし、台板５を手前側の端部が下方に垂れ下がるＬ字状としてもよい。
【００３３】
また、前記実施形態では、スライド部材４に台板５を取付けた形態を示したが、図５に示すように、本体部４２´を前後方向に延びる板状とし、これにフック７を取付けてもよい。このようにすれば、フック７をスライドさせることができるとともに、前方から容易にレール部材４に着脱することができる。
【００３４】
さらには、レール部材３の係合溝３１の立上り溝３１ｂは、斜め上方に立ち上がっている必要はなく、基部溝３１ａと略垂直するように上方に立ち上がっていてもよい。スライド部材４の係合部４１の立上り部４１ｂも同様である。
【００３５】
また、前記実施形態とは反対に、レール部材３に係合部４１を形成し、スライド部材４に係合溝３１を形成することも可能であるが、前記実施形態のようにする方がキャビネット本体１の外観を向上させることができる。
【図面の簡単な説明】
【００３６】
【図１】本発明の一実施形態に係るキッチン用フロアキャビネットの斜視図である。
【図２】図１のＩＩ−ＩＩ線断面図である。
【図３】レール部材からスライド台を取外すときの操作説明図である。
【図４】他の一実施形態に係るスライド台を取外すときの操作説明図である。
【図５】他の一実施形態に係るスライド台の断面側面図である。
【符号の説明】
【００３７】
１  キッチン用フロアキャビネット
２  キャビネット本体
３  レール部材
３１  係合溝
３１ａ  基部溝
３１ｂ  立上り溝
４，４´  スライド部材
４１  係合部
４１ａ  基部
４１ｂ  立上り部
４２，４２´  本体部
５  台板
６  回転軸
７  フック
【図１】
2006198303.tif 000003
【図２】
2006198303.tif 000004
【図３】
2006198303.tif 000005
【図４】
2006198303.tif 000006
【図５】
2006198303.tif 000007